(57)【要約】      （修正有）【課題】ＴＯＣ情報の誤りを的確に検証することができる光ディスク再生装置および光ディスク再生方法を提供する。【解決手段】管理データ取得部２１は、光ディスク１の最内周に記録された管理データを取得し管理データ記憶部３０に記憶させる。データトラック抽出部２２は、管理データにおいてデータ領域の先頭トラックに対してトラック種別がオーディオトラックである旨の情報が関連付けられていると、管理データにおいてトラック種別がデータトラックである旨の情報が関連付けられたトラックを抽出する。トラック種別検証部２３は、データトラック抽出部２２により抽出されたトラックに対してデータ領域内の識別情報においてトラック種別がオーディオトラックである旨の情報が関連付けられていると、このトラックに対してオーディオトラックである旨の情報が関連付けられるよう管理データ記憶部３０に記憶された管理データを変更する。【選択図】図２
2012108984.tif 000002
【特許請求の範囲】
【請求項１】
光ディスクの最内周に記録された管理データを取得し管理データ記憶部に記憶させる管理データ取得部と、
前記管理データにおいてデータ領域の先頭トラックに対してトラック種別がオーディオトラックである旨の情報が関連付けられていると、前記管理データにおいて前記トラック種別がデータトラックである旨の情報が関連付けられたトラックを抽出するデータトラック抽出部と、
前記データトラック抽出部により抽出されたトラックに対して前記データ領域内の識別情報において前記トラック種別がオーディオトラックである旨の情報が関連付けられていると、このトラックに対して前記トラック種別がオーディオトラックである旨の情報が関連付けられるよう前記管理データ記憶部に記憶された前記管理データを変更するトラック種別検証部と、
前記管理データ記憶部に記憶された前記管理データの情報にもとづいて前記光ディスクに記録されたオーディオトラックを再生する再生処理部と、
を備えたことを特徴とする光ディスク再生装置。
【請求項２】
前記トラック種別検証部は、
前記データトラック抽出部により抽出されたトラックに対して前記データ領域内の識別情報において前記トラック種別がデータトラックである旨の情報が関連付けられていると、このトラックに関しては前記管理データ記憶部に記憶された前記管理データを変更しない、
請求項１記載の光ディスク再生装置。
【請求項３】
前記再生処理部は、
前記管理データ記憶部に記憶された前記管理データにおいて前記トラック種別がオーディオトラックである旨の情報が関連付けられたトラックを再生するとともに前記トラック種別がデータトラックである旨の情報が関連付けられたトラックを再生せずスキップする、
請求項１または２に記載の光ディスク再生装置。
【請求項４】
光ディスクの最内周に記録された管理データを取得し管理データ記憶部に記憶させるステップと、
前記管理データにおいてデータ領域の先頭トラックに対してトラック種別がオーディオトラックである旨の情報が関連付けられていると、前記管理データにおいて前記トラック種別がデータトラックである旨の情報が関連付けられたトラックを抽出し、当該抽出されたトラックに対して前記データ領域内の識別情報からトラック情報を検証する検証ステップと、
前記検証ステップにおいて、前記トラック種別がオーディオトラックである旨の情報が関連付けられている場合には、このトラックに対して前記トラック種別がオーディオトラックである旨の情報が関連付けられるよう前記管理データ記憶部に記憶された前記管理データを変更する変更ステップと、
前記管理データ記憶部に記憶された前記管理データの情報にもとづいて前記光ディスクに記録されたオーディオトラックを再生するステップと、
を有することを特徴とする光ディスク再生方法。
【請求項５】
前記抽出されたトラックに対して前記データ領域内の識別情報において前記トラック種別がデータトラックである旨の情報が関連付けられていると、このトラックに関しては前記管理データ記憶部に記憶された前記管理データを変更しないステップ、
をさらに有する請求項４記載の光ディスク再生方法。
【請求項６】
前記光ディスクに記録されたオーディオトラックを再生するステップは、
前記管理データ記憶部に記憶された前記管理データにおいて前記トラック種別がオーディオトラックである旨の情報が関連付けられたトラックを再生するとともに前記トラック種別がデータトラックである旨の情報が関連付けられたトラックを再生せずスキップするステップである、
請求項４または５に記載の光ディスク再生方法。
【発明の詳細な説明】
【技術分野】
【０００１】
本発明の実施形態は、光ディスク再生装置および光ディスク再生方法に関する。
【背景技術】
【０００２】
ＣＤ−ＲＯＭ（Compact Disc - Read Only Memory）やＣＤ−ＤＡ（Compact Disc - Digital Audio）などの規格に従った光ディスクは、最内周に管理データ（以下、ＴＯＣ（Table Of Contents）情報という）が記録されている。ＴＯＣ情報には、少なくとも各トラックがデータトラックであるかオーディオトラックであるかのトラック種別情報が含まれる。
【０００３】
光ディスク再生装置は一般に、光ディスクの再生にあたり、このＴＯＣ情報を用いて各トラックのトラック種別を判定する。このため、光ディスクへの情報記録時のエラーなどによりＴＯＣ情報のトラック種別が実際のトラック種別と異なってしまうと不具合が起きる場合がある。そこで従来、この種のＴＯＣ情報のトラック種別情報の誤りを克服するための種々の技術が提案されている。
【先行技術文献】
【特許文献】
【０００４】
【特許文献１】特開２００３−３４６４２２号公報
【発明の概要】
【発明が解決しようとする課題】
【０００５】
従来の技術では、実際の先頭トラックのトラック種別がオーディオトラックであれば、以降のトラックを全てオーディオトラックとみなしてしまうようになっている。このため、実際の先頭トラックのトラック種別がオーディオトラックであり、かつ途中のトラックにデータトラックが存在する場合、この途中のトラックがデータトラックであることを検出することが難しい。
【課題を解決するための手段】
【０００６】
本発明の一実施形態に係る光ディスク再生装置は、上述した課題を解決するために、管理データ取得部、データトラック抽出部、トラック種別検証部および再生処理部を備える。管理データ取得部は、光ディスクの最内周に記録された管理データを取得し管理データ記憶部に記憶させる。データトラック抽出部は、管理データにおいてデータ領域の先頭トラックに対してトラック種別がオーディオトラックである旨の情報が関連付けられていると、管理データにおいてトラック種別がデータトラックである旨の情報が関連付けられたトラックを抽出する。トラック種別検証部は、データトラック抽出部により抽出されたトラックに対してデータ領域内の識別情報においてトラック種別がオーディオトラックである旨の情報が関連付けられていると、このトラックに対してトラック種別がオーディオトラックである旨の情報が関連付けられるよう管理データ記憶部に記憶された管理データを変更する。再生処理部は、管理データ記憶部に記憶された管理データの情報にもとづいて光ディスクに記録されたオーディオトラックを再生する。
【図面の簡単な説明】
【０００７】
【図１】本発明の一実施形態に係る光ディスク再生装置の一例を示す全体構成図。
【図２】ＣＰＵによる機能実現部の構成例を示す概略的なブロック図。
【図３】光ディスクのデータ構造の一例を示す説明図。
【図４】リードイン領域に記録されたＴＯＣ情報がデータ領域に実際に記録されているトラック種別を誤って記録している場合の一例を示す図。
【図５】トラック種別検証部により光ディスクのＴＯＣ情報の正誤が検証される様子の一例を示す説明図。
【図６】トラック種別検証部により光ディスクのＴＯＣ情報の正誤が検証される様子の他の例を示す説明図。
【図７】図１に示す光ディスク再生装置のＣＰＵにより、ＴＯＣ情報において先頭トラックのトラック種別がオーディオトラックである場合にＴＯＣ情報の誤りを的確に検証する際の手順を示すフローチャート。
【発明を実施するための形態】
【０００８】
本発明に係る光ディスク再生装置および光ディスク再生方法の実施の形態について、添付図面を参照して説明する。
【０００９】
図１は、本発明の一実施形態に係る光ディスク再生装置１０の一例を示す全体構成図である。光ディスク再生装置１０は、ＣＤ−ＲＯＭ規格やＣＤ−ＤＡ規格に準拠した光ディスク１に記録された圧縮ビデオ、圧縮オーディオファイルおよびオーディオトラックを再生するものである。
【００１０】
光ディスク再生装置１０は、表示部１１、入力部１２、ＣＰＵ（Central Processing Unit）１３、ＲＡＭ（Random Access Memory）１４、およびＲＯＭ（Read Only Memory）１５を有する。
【００１１】
表示部１１は、液晶ディスプレイなどの一般的な表示装置により構成され、光ディスク再生装置１０のフロントパネル等に配設される。表示部１１は、ＣＰＵ１３により制御されて光ディスク再生装置１０の動作状態や現在時刻などの情報を表示する。
【００１２】
入力部１２は、たとえばキーボード、タッチパネル、テンキーなどの一般的な入力装置により構成され、光ディスク再生装置１０のフロントパネル等に配設される。この入力部１２は、ユーザの操作に対応した操作入力信号をＣＰＵ１３に出力する。
【００１３】
ＣＰＵ１３は、ＲＯＭ１５内に記憶されたプログラムにしたがって、光ディスク再生装置１０の動作を制御する。ＣＰＵ１３は、ＲＯＭ１５内に記憶されたＴＯＣ情報検証プログラムおよびプログラムの実行のために必要なデータをＲＡＭ１４へロードし、ＴＯＣ情報検証プログラムに従って、ＴＯＣ情報において先頭トラックのトラック種別がオーディオトラックである場合にＴＯＣ情報の誤りを的確に検証する処理を実行する。
【００１４】
ＲＡＭ１４は、ＣＰＵ１３が実行するプログラムおよびデータを一時的に格納するワークエリアを提供する。
【００１５】
ＲＯＭ１５は、光ディスク再生装置１０の起動プログラム、ＴＯＣ情報検証プログラムや、これらのプログラムを実行するために必要な各種データを記憶する。
【００１６】
なお、ＲＯＭ１５は、磁気的もしくは光学的記録媒体または半導体メモリなどのＣＰＵ１１により読み取り可能な記録媒体を含んだ構成を有し、ＲＯＭ１５内のプログラムおよびデータの一部または全部は電子ネットワークを介してダウンロードされるように構成してもよい。
【００１７】
図２は、ＣＰＵ１３による機能実現部の構成例を示す概略的なブロック図である。なお、この機能実現部は、ＣＰＵ１３を用いることなく回路などのハードウエアロジックによって構成してもよい。
【００１８】
図２に示すように、ＣＰＵ１３は、ＴＯＣ情報検証プログラムによって、少なくとも管理データ取得部２１、データトラック抽出部２２、トラック種別検証部２３および再生処理部２４として機能する。この各部２１〜２４は、ＲＡＭの所要のワークエリアを、データの一時的な格納場所として利用する。
【００１９】
管理データ取得部２１は、光ディスク１が光ディスク再生装置１０に装填されると、光ディスク１の最内周に記録されたＴＯＣ情報（管理データ）を取得し、ＲＡＭ１４の所要のワークエリアとしての管理データ記憶部３０に記憶させる。
【００２０】
図３は、光ディスク１のデータ構造の一例を示す説明図である。なお、図３には光ディスク１に対してｎ個（ただしｎは任意の自然数をあらわす）のトラックが記録されている場合の例について示した。
【００２１】
光ディスク１は、ディスクの内周から外周に向かって、リードイン領域、データ領域およびリードアウト領域の各領域に分類することができる。
【００２２】
リードイン領域は、光ディスク１の最内周に存在する領域であり、この領域にはＴＯＣ情報（管理データ）が記録されている。ＴＯＣ情報には、少なくともトラックの種別がオーディオトラックであるかデータトラックであるかを示す情報が含まれる。
【００２３】
データ領域には、再生されるデータがトラックごとに分けられて記録される。たとえば再生されるデータが音楽であれば、一般に１つのトラックに１曲分のデータが記録される。各トラックには、サブコード（識別情報）が記録される。サブコードのＱチャンネルのコントロールデータには、少なくともトラックの種別がオーディオトラックであるかデータトラックであるかを示す情報が含まれる。
【００２４】
リードイン領域からリードアウト領域までのまとまりをセッションという。規格上、同一セッション内に記録されるトラック種別には、トラック領域の先頭トラックがオーディオトラックである場合にはセッション内の全てのトラックがオーディオトラックであるという規定がある。一方、トラック領域の先頭トラックがデータトラックである場合には他のトラックはオーディオトラックおよびデータトラックのいずれであっても構わない。
【００２５】
図４は、リードイン領域に記録されたＴＯＣ情報がデータ領域に実際に記録されているトラック種別を誤って記録している場合の一例を示す図である。図４には、データ領域のトラック２はオーディオトラックであるにもかかわらずリードイン領域に記録されたＴＯＣ情報においてトラック２がデータトラックである旨の情報が関連付けられている場合の例に着いて示した。
【００２６】
リードイン領域に記録されたＴＯＣ情報において先頭トラックがオーディオトラックである旨の情報が関連付けられているにもかかわらず同一セッション内にデータトラックである旨の情報が関連付けられたトラックが存在する場合には、次の２つの場合が考えられる。
【００２７】
第１の場合は、リードイン領域に記録されたＴＯＣ情報にのみ記録エラーが発生し、データ領域にはオーディオトラックのみが記録されている場合である（図４参照）。この場合、ＴＯＣ情報は実際のデータ領域のトラック種別を正確に反映したものではない。
【００２８】
第２の場合は、何らかの要因でデータ領域に実際にデータトラックが存在してしまった場合である。この場合、リードイン領域に記録されたＴＯＣ情報がトラック領域の情報を正確に記録していることになる。
【００２９】
本実施形態に係る光ディスク再生装置１０は、先頭トラックがオーディオトラックである旨の情報が関連付けられているにもかかわらず同一セッション内にデータトラックである旨の情報が関連付けられたトラックが存在する場合に、トラック領域の情報を正確に反映したＴＯＣ情報を的確に取得することができるものである。
【００３０】
データトラック抽出部２２は、管理データ取得部２１により管理データ記憶部３０に記憶されたＴＯＣ情報においてデータ領域の先頭トラックに対してトラック種別がオーディオトラックである旨の情報が関連付けられていると、ＴＯＣ情報においてトラック種別がデータトラックである旨の情報が関連付けられたトラックを抽出する。図４に示す例では、先頭トラックであるトラック１がオーディオトラックであるため、データトラック抽出部２２は、ＴＯＣ情報においてデータトラックである旨の情報が関連付けられたトラック２を抽出する。
【００３１】
図５は、トラック種別検証部２３により光ディスクのＴＯＣ情報の正誤が検証される様子の一例を示す説明図である。また、図６は、トラック種別検証部２３により光ディスクのＴＯＣ情報の正誤が検証される様子の他の例を示す説明図である。図５および図６には、光ディスク１が５つのトラック１〜５を記憶し、リードイン領域のＴＯＣ情報においてトラック１、４および５がオーディオトラックとされる一方トラック２および３がデータトラックとされる場合の例について示した。
【００３２】
トラック種別検証部２３は、データトラック抽出部２２により抽出されたトラックのサブコード情報を取得する。トラック種別検証部２３は、サブコード情報において抽出されたトラックに対してオーディオトラックである旨の情報が関連付けられていると、管理データ記憶部３０に記憶されたＴＯＣ情報のうち、このトラックに関連付けられたトラック種別をオーディオトラックに変更する（図５参照）。
【００３３】
一方、トラック種別検証部２３は、抽出されたトラックに対してサブコード情報においてデータトラックである旨の情報が関連付けられていると、管理データ記憶部３０に記憶されたＴＯＣ情報を変更せずそのままにする（図６参照）。
【００３４】
すなわち、トラック種別検証部２３は、ＴＯＣ情報においてデータ領域の先頭トラックに対してトラック種別がオーディオトラックである旨の情報が関連付けられており、かつＴＯＣ情報においてトラック種別がデータトラックである旨の情報が関連付けられたトラックが抽出されると、抽出されたトラックのサブコードにもとづきＴＯＣ情報の正誤を検証し、管理データ記憶部３０のＴＯＣ情報をサブコードの内容と一致させる。
【００３５】
再生処理部２４は、管理データ記憶部３０に記憶されたＴＯＣ情報にもとづいて光ディスク１に記録されたオーディオトラックを再生する。具体的には、再生処理部２４は、管理データ記憶部３０に記憶されたＴＯＣ情報においてデータ領域の先頭トラックに対してトラック種別がオーディオトラックである旨の情報が関連付けられていると、セッションの再生を開始する。このとき、管理データ記憶部３０に記憶されたＴＯＣ情報においてデータトラックである旨の情報が関連付けられたトラックについては再生をスキップする。
【００３６】
次に、本実施形態に係る光ディスク再生装置１０の動作の一例について説明する。
【００３７】
図７は、図１に示す光ディスク再生装置１０のＣＰＵ１３により、ＴＯＣ情報において先頭トラックのトラック種別がオーディオトラックである場合にＴＯＣ情報の誤りを的確に検証する際の手順を示すフローチャートである。図７において、Ｓに数字を付した符号は、フローチャートの各ステップを示す。
【００３８】
この手順は、光ディスク再生装置１０に光ディスク１が装填された時点でスタートとなる。
【００３９】
まず、ステップＳ１において、管理データ取得部２１は、光ディスク１の最内周に記録されたＴＯＣ情報を取得し、管理データ記憶部３０に記憶させる。
【００４０】
次に、ステップＳ２において、データトラック抽出部２２は、管理データ取得部２１により管理データ記憶部３０に記憶されたＴＯＣ情報において、データ領域の先頭トラックに対してトラック種別がオーディオトラックである旨の情報が関連付けられているか否かを判定する。先頭トラックに対してトラック種別がオーディオトラックである旨の情報が関連付けられている場合はステップＳ３に進む。一方、先頭トラックに対してトラック種別がオーディオトラックである旨の情報が関連付けられていないと一連の手順は終了となる。
【００４１】
次に、ステップＳ３において、データトラック抽出部２２は、管理データ取得部２１により管理データ記憶部３０に記憶されたＴＯＣ情報においてトラック種別がデータトラックである旨の情報が関連付けられたトラックであってＴＯＣ情報の正誤を未検証のトラック（以下、未検証トラックという）があるか否かを判定する。未検証トラックがある場合は、データトラック抽出部２２によりこの未検証トラックの情報がトラック種別検証部２３に与えられてステップＳ４に進む。一方、未検証トラックがない場合は、一連の手順は終了となる。
【００４２】
次に、ステップＳ４において、トラック種別検証部２３は、データ領域のうちデータトラック抽出部２２により抽出された未検証トラックが記憶された領域にアクセスする。
【００４３】
次に、ステップＳ５において、トラック種別検証部２３は、未検証トラックのサブコード情報を取得する。
【００４４】
次に、ステップＳ６において、トラック種別検証部２３は、未検証トラックのサブコード情報においてトラック種別がオーディオトラックである旨の情報が関連付けられているか否かを判定（検証）する。未検証トラックのサブコード情報においてトラック種別がオーディオトラックである旨の情報が関連付けられていると、ステップＳ７に進む。一方、未検証トラックのサブコード情報においてトラック種別がオーディオトラックである旨の情報が関連付けられていないと、ステップＳ８に進む。
【００４５】
次に、ステップＳ７において、トラック種別検証部２３は、管理データ記憶部３０に記憶されたＴＯＣ情報のうち、未検証トラックに関連付けられたトラック種別をオーディオトラックに変更する（図５参照）。
【００４６】
次に、ステップＳ８において、トラック種別検証部２３は、未検証トラックが最終トラックであるか否か（ステップＳ１において管理データ取得部２１により取得されたＴＯＣ情報に含まれる全トラックについて検証が終了したか否か）を判定する。未検証トラックが最終トラックでない場合は、ステップＳ３に戻る。一方、未検証トラックが最終トラックである場合は、一連の手順は終了となる。
【００４７】
以上の手順により、ＴＯＣ情報において先頭トラックのトラック種別がオーディオトラックである場合にＴＯＣ情報の誤りを的確に検証することができる。
【００４８】
本実施形態に係る光ディスク再生装置１０は、ＴＯＣ情報において先頭トラックのトラック種別がオーディオトラックである場合に、ＴＯＣ情報においてデータ種別がデータトラックであるトラックがあると、このトラックのサブコード情報と一致するようＴＯＣ情報を更新する。このため、本実施形態に係る光ディスク再生装置１０によれば、ＴＯＣ情報において先頭トラックのトラック種別がオーディオトラックである場合にＴＯＣ情報の誤りを的確に検証することができる。
【００４９】
また、ＴＯＣ情報において先頭トラックのトラック種別がオーディオトラックである場合に何らかの要因で規定から逸脱してしまいデータトラックが紛れ込んだ場合であっても、この紛れ込んだデータトラックを的確に判別することができる。さらに、光ディスク再生装置１０は、このデータトラックをスキップしつつ、オーディオトラックのみ再生することができる。したがって、光ディスク再生装置１０によれば、ユーザは、ＴＯＣ情報において先頭トラックのトラック種別がオーディオトラックである場合に何らかの要因で規定から逸脱してしまいデータトラックが紛れ込んでしまった光ディスク１であっても、通常の光ディスク（セッションがオーディオトラックのみで構成された光ディスク）と同様にストレスなく再生を楽しむことができる。
【００５０】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５１】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００５２】
１０  光ディスク再生装置
２１  管理データ取得部
２２  データトラック抽出部
２３  トラック種別検証部
２４  再生処理部
【図１】
2012108984.tif 000003
【図２】
2012108984.tif 000004
【図３】
2012108984.tif 000005
【図４】
2012108984.tif 000006
【図５】
2012108984.tif 000007
【図６】
2012108984.tif 000008
【図７】
2012108984.tif 000009